(57)【要約】【課題】  波の力を打ち消すのに有効な構造において、良好な魚場環境及び生態系の保全、再生に適した波消しブロックを堤供する。【解決手段】  縦横に詰めた配列において配列群の中心に縦穴が生じるように角柱形またはそれに近い形状のコンクリートブロックであって、配列において前記縦穴に順次面して連続するトンネルが岸に向かって斜めに生じ得るように、斜めに相対向する両側に横欠部を設け、さらに、上記の角柱形の下面の周囲に複数の座足を突設した。【選択図】    図１
2005048412.tif 000002
【特許請求の範囲】
【請求項１】
縦横に詰めた配列において配列群の中心に縦穴が生じるように角柱形またはそれに近い形状のコンクリートブロックであって、配列において前記縦穴に順次面して連続するトンネルが岸に向かって斜めに生じ得るように、斜めに相対向する両側に横欠部を設け、さらに、上記角柱形の下面の周囲に複数の座足を突設したことを特徴とする波消しブロック。
【請求項２】
上記角柱形の上面に、凹部が形成してあることを特徴とする請求項１記載の波消しブロック。
【請求項３】
上記角柱形の上面には、上記角柱形の下面の周囲に突設した複数の座足内に囲まれて生じる凹所に納まる凸部が形成してあることを特徴とする請求項１記載の波消しブロック。
【請求項４】
配列で詰められる前後側面と左右側面との隣接側面の間の角が取られ、側面とその角面とからなる８角形の角柱ブロック形状であって、配列において縦穴の内面となる角面の側が引っ込んで前記の横欠部が形成され、縦穴に向かって横欠部が口開きに開拡するように、横欠部の上下両面を斜面に形成し、縦穴の下端に座足間を開口させたことを特徴とする請求項１，２又は３記載の波消しブロック。
【請求項５】
上記横欠部の口開き形状が多角形状であることを特徴とする請求項１，２，３又は４記載の波消しブロック。
【請求項６】
上記横欠部の口開き形状が円弧状であることを特徴とする請求項１，２，３又は４記載の波消しブロック。
【発明の詳細な説明】
【技術分野】
【０００１】
この発明は、海岸、港湾、河川などにおいて岸近くに配置される波消しブロックに関する。
【背景技術】
【０００２】
海岸、港湾、河川などにおいて、外海から来襲する波浪を遮り、静穏な水面保持を目的として消波堤が設置されるが、反面、これによって、区切られた内側水域の水の交換が阻害され、水質悪化の原因となることが多い。
【０００３】
このような外海との水の流通阻害による水質環境の悪化は、直接生態系への悪影響を及ぼし、特に、消波堤構築現場は主に浅海域であり、有用魚介類をはじめとする水産動植物の産卵、着生、幼稚仔生育など水産生物生産の基盤的領域であるため、この環境悪化がもたらす影響は極めて大きいという現状がある。
【０００４】
従って消波堤は、波浪環境を改善するとともに、水の流通を阻害しない構造が求められ、従来、主に異形ブロックを使用して構築する多孔壁型の消波堤が種々考案されていたが、これらの異形ブロックの配列によって出来る堤体内部隙間は複雑に交錯し、また狭小であるなど、水が滞溜しやすい構造であった。
【０００５】
さらに、この堤体内隙間は、太陽光が到達しにくく暗いため、魚介類及び水の浄化機能を有する藻類、微生物などの生育に適していなかった。
【０００６】
日本の魚業生産量は、昭和６０年頃を境に減少傾向に転じており、現在、水産物の消費量の５３％（平成１２年度）を供給するにとどまり、後は輸入に頼るという状況になっている。このような現状に対応するため、水産庁は、平成１４年３月に作成した「水産基本計画」において、「国民に対する水産物の安定供給」、「水産業の健全な発展」を理念とし、平成２４年度における水産物の自給率目標６５％（食用）と、それを達成するための施策推進の指針を示した。それには、「魚港魚場整備長期計画」、「水産動植物の生育環境となる魚場等の積極的な保全・創造」等が含まれる。波消しブロックについては、良好な魚場環境及び生態系の保全（水質改善、藻場の維持・保全、再生）が政策大綱に見られ、また、魚礁の設置、増養殖場の造成、沿岸魚場の保全などの基板整備計画が見られる。これは上記現状から見て妥当な政策と考えられる。
【発明の開示】
【発明が解決しようとする課題】
【０００７】
この発明は、このような実情に鑑みて、波の力を打ち消すのに有効な構造において、良好な魚場環境及び生態系の保全、再生に適した波消しブロックを堤供することを目的とした。
【課題を解決するための手段】
【０００８】
上記の目的を達成するために、この発明は、縦横に詰めた配列において配列群の中心に縦穴が生じるように角柱形またはそれに近い形状のコンクリートブロックであって、配列において前記縦穴に順次面して連続するトンネルが岸に向かって斜めに生じ得るように、斜めに相対向する両側に横欠部を設け、さらに、上記の角柱形の上面に凹部を形成し、下面の周囲に複数の座足を突設したことを特徴とする波消しブロックＢを構成した。
【０００９】
上記の波消しブロックの配列（波消しの構築）において、斜めにトンネルが生じるので、岸に直進する普通の波は斜めの距離となる分だけ逆比例して波（水流）が弱まることはもとより、トンネルを突き抜ける抵抗、また、トンネルから縦穴に吹き上がる水流等によっても力を失うことになる。つまり、縦穴で水圧が抜かれる。しかし、縦穴の下端部は波静かであるため、魚介類の避難場所となり、座足の間から下に潜り込むこともできる。
【００１０】
波静かであると、トンネルや縦穴が魚介類の安全な住処（魚礁）となる。また、トンネルは適度な幅を有し、完全に連通しているので、魚介類は海況及び生活史に応じて自由に移動出来る。また、縦穴から太陽光が差し込むために、有用微生物の活動により水の浄化作用が得られ、また、藻の生育を促進することになる。さらに、上面の凹部の内側には波の衝撃が緩和されるので、殊に、穴や物陰を好むサザエやアワビなどの幼稚貝が定着しやくすくその生育が望める。
【００１１】
また、この発明は、別に、上記波消しブロックＢの角柱形の下面の周囲に突設して形成された座足内に囲まれて生じる凹所に納まる凸部を上記角柱形の上面に形成してある波消しブロックＣを構成した。
【００１２】
これにより、波消しブロックＣを下段にし、その上面凸部と上記波消しブロックＢの下面凹所とを嵌め合せるようにして、波消しブロックＢを上段に二段積みすることができ、また波消しブロックＣも多段にでき、海の深さに対して、適宜対応することができる。
【００１３】
なお、上記横欠部の口開き形状も適宜の多角形状や円弧形状を採用することにより、各種の海岸線の状況に対応することができる。
【発明の効果】
【００１４】
以上説明したように、この発明の波消しブロックによれば、縦横に配列する波消しの構築において斜めにトンネルが生じるだけでなく、そのトンネルが上に抜ける縦穴が生じるので、波の力を強力に打ち消すことができ、しかも、魚介類の避難や棲息に適する魚礁としての環境が得られ、また、太陽光の内部への到達に適するので、水の浄化や藻の生育が望めるなど、良好な魚場環境及び生態系の保全、再生に適するという優れた効果がある。
【００１５】
殊に、請求項２のように構成すると、横欠部の斜面の交互によりトンネルがストレートでなくなるので、上記効果がさらに顕著となる。
【発明を実施するための最良の形態】
【００１６】
図１ないし図９は、一実施の形態を示したもので、その波消しブロックＢは、  前後側面１，１と左右側面１，１との間の各角が大きく取られ、４側面１，１，１，１に加えて、この角面２，２，２，２が加わって、基本的には８角形の角柱形であるが、一対角の両角面２，２にその側が引っ込む横欠部４，４が形成され、下端面には中心から等方位の４ヵ所に座足５，５，５，５を設け、座足５，５，５，５によって囲まれた中心部に下面側凹所１４が形成されている。また、上面には幾つかの上面側凹部７，７，７，７が設けられる。なお、縁角には面取り９が形成されている。
【００１７】
八角形であるので、図６ないし図９に示すように縦横に詰めて、つまり側面１，１どうしを縦横に接合させて配列して波消しを構築すると、隣接する４個の波消しブロックＢ，Ｂ，Ｂ，Ｂ（配列群）の中央には、角面２，２，２，２で囲まれる縦穴１０が生じることになる。また、角面２，２と平行に横欠部４，４が抜けているので、横欠部４，４，・・が連続する（岸１２に向かって４５度の）斜めのトンネル１１が生じることになる（図９）。
【００１８】
横欠部４，４は、開口側が上下に広くなるように、上下が斜面４ａ，４ｂとなっており、切欠の奥行き（凹欠程度）については、角面２からその両側面１，１の全巾にわたる凹欠に形成されている。この波消しブロックＢを縦横に配置したときには、配列端面に横欠部４が開口し（図１、図９参照）、隣接するブロックＢとの間に、前記の如く、斜めに横欠部４，４，・・が連続してトンネル１１が生じることになるが（図９）、図１から分かるように、そのトンネル１１は、隣接斜面４ａと４ａおよび４ｂと４ｂが勾配を交互にする複雑な空間構造を構成することになる。
【００１９】
そこで、岸１２に向かって波（矢印Ｗａ）が打ち寄せると（図６参照）、トンネル１１を斜めに抜けることになるので（矢印Ｗｂ）、直進に比べて距離が長くなるだけ波が弱まることはもちろん、斜面４ａ，４ｂの交互勾配に伴う段差障害や抵抗、さらには、縦穴１０からの波が吹き上げる圧抜き等から、岸１２に至る波は非常に弱まる。また、海流（Ｗｃ）がトンネル１１の迎い側からであると（図７）、岸１２に向かって波（Ｗｄ）が入りやすく、海流（Ｗｅ）がトンネル１１に対して逃げる方向にあると（図８）、岸１２近くの海水（Ｗｆ）が引きやすい。したがって、水の浄化促進に適し、ごみも溜まらない。
【００２０】
また、トンネル１１の中を波が突撃しても、縦穴１０の下が比較的静かであるので、魚が避難してそこで波が静まるのを待つことができる。また、波静かとなりトンネル１１に戻ると、そこがストレートではなく複雑であるので、魚が安心して住処とすることができる。
【００２１】
４本の座足５，５，５，５は、底面に十文字に溝１５を設けるとともに（図５）、中央部に広く凹所１４を設けることにより形成される。図２は、波消しブロックＢを玉石や岩石等で築いた基礎１７の上に配置した状態を示したもので、この場合、基礎１７の上が凸凹していても、転倒しないよう座足５が安定して静座する作用を果たす。また、殊に、沈下しないようこのように強固な基礎１７の上に置かれると、溝１５の開口から魚介類が入って、中央の凹所１４を極めて安全な住処とすることができる。
【００２２】
上面に設けられる凹部７の形状や配列は特別であることは要しないが、この実施の形態の場合であると、トンネル１１と平行に長くなるようにしてある。そこで、ここに、サザエ、アワビ、ウニ等の有用魚介類の幼稚仔を沈着させて生育させる場合に、斜めであるので波の直撃を避けやすく、生育に支承なく定着させることができる。
【００２３】
図１０および図１１は、他の実施の形態を示したもので、波消しブロックＢを機械で配置または撤去しやすいよう、凹部７の中に吊り金物２１が突設される。また、図１０の配列では、隣接する波消しブロックＢ，Ｂを連結部材１９で連結してある。波消しブロックＢの配列は、高さが当初に設定されたまま均一に保たれることが望ましいが、波による海底の侵食があると、高低差が生じることになる。これを防止するためである。なお、この場合は、波消しブロックＢには各側面１に連結部材１９を嵌入する切欠が設けられる。また、吊り金物２１には鉄筋が用いられ、その上端反転部が凹部７内に突出しているので、これによっても魚介類の幼稚仔や卵を沈着を波から護ることになる。
【００２４】
図１２及び図１３はさらに他の実施の形態を示したもので、上記実施形態では、横欠部４の口開き形状が四角形状（台形形状）である場合を示したが、この横欠部４の口開き形状は、上記実施例に限定されるものではなく、他の多角形状（図１２の例は三角形状）であっても良く、或いはその口開き形状は図１３に示すように丸く円弧状等であっても良い。要は、横欠部４の口開き形状は、本発明の目的を達成し得る限り、その形状が限定されるものではない。
【００２５】
一方、図１４は本発明の別の波消しブロックＣの実施形態を示したものである。図１４において、３０は角柱形（この例では八角柱形）の上面の中央部に設けられた凸部である。この上面凸部３０は、前記実施形態の波消しブロックＢ（上面には凹部７，７，７，７が形成されている）の下面に設けた四本の座足５，５，５，５によって囲まれて形成される下面中央部の凹所１４に嵌まる形状（大きさ等）、位置に形成されている。
【００２６】
これにより、上記のように構成された波消しブロックＣの上面凸部３０を前期実施例の波消しブロックＢの下面凹所１４に嵌め込んだ状態、即ち、下段に波消しブロックＣ、上段に波消しブロックＢのいわゆる二段積みの波消しブロックを形成することができる（図１５）。
【００２７】
なお、この波消しブロックＣの下面構造は上記した波消しブロックＢと同じに形成してある。従って、この波消しブロックＣを多段に利用することができ、さらに多段層に積層させた波消しブロックを堤供することができる。
【図面の簡単な説明】
【００２８】
【図１】この発明の一実施の形態による波消しブロックＢを使用状態で示す斜視説明図である。
【図２】同波消しブロックの配列状態を側面から見た説明図である。
【図３】同波消しブロックの斜視図である。
【図４】同波消しブロックの平面図である。
【図５】同波消しブロックの底面図である。
【図６】同波消しブロックの使用において波消し機能を説明するための海辺の平面図である。
【図７】同波消しブロックの使用において潮流による海水の進入を促進することを説明するための海辺の平面図である。
【図８】同波消しブロックの使用において逆潮流による海水の引きを促進することを説明するための海辺の平面図である。
【図９】図６，図７，図８における波消しブロックの配列を平面から見た断面図である。
【図１０】他の実施形態の波消しブロックを配列状態において示す平面図である。
【図１１】他の実施形態の波消しブロックを横欠部側から見た側面図である。
【図１２】横欠部の他の実施形態を示した斜視説明図である。
【図１３】横欠部のさらに別の実施形態を示した斜視説明図である。
【図１４】この発明の別の実施形態による波消しブロックＣを説明した斜視図である。
【図１５】波消しブロックＢとＣとを二段積みして示した斜視説明図である。
【符号の説明】
【００２９】
Ｂ，Ｃ  波消しブロック
１  側面
２  角面
４  横欠部
４ａ，４ｂ  斜面
５  座足
７  上面凹部
１０  縦穴
１１  トンネル
１４  下面凹所
１５  座足間の開口としての溝
３０  上面凸部
【図１】
2005048412.tif 000003
【図２】
2005048412.tif 000004
【図３】
2005048412.tif 000005
【図４】
2005048412.tif 000006
【図５】
2005048412.tif 000007
【図６】
2005048412.tif 000008
【図７】
2005048412.tif 000009
【図８】
2005048412.tif 000010
【図９】
2005048412.tif 000011
【図１０】
2005048412.tif 000012
【図１１】
2005048412.tif 000013
【図１２】
2005048412.tif 000014
【図１３】
2005048412.tif 000015
【図１４】
2005048412.tif 000016
【図１５】
2005048412.tif 000017